(57)【要約】      （修正有）【課題】使用が終了し給気を停止した際に、エアタービンロータが惰性回転することによりタービン室内に負圧が発生することを防止するエアタービンハンドピースを提供する。【解決手段】タービン室１５のエアタービンロータ６を駆動するエア給気管路１１及び排気用の排気管路１２を備え、さらに、前記排気管路１２に、一端２０ａを連通するとともに、他端２０ｂを前記タービン室１５に開口する前記エア給気管路１１のエア給気口１４近傍に開口した還流口１７に連通する還流管路１６を設けることにより、給気停止時の、前記エアタービンロータ６の情性回転による排気を、前記還流管路１６を介して還流しつつタービン室１５内に発生する負圧を防止するように構成したエアタービンハンドピース１において、前記還流管路１６を、前記タービン室１５の壁面１５ａに穿設した還流溝２０と前記タービン室１５に嵌装したハウジング２５の壁面２５ａ間によって形成する。【選択図】図１
2014012092.tif 000002
【特許請求の範囲】
【請求項１】
タービン室１５内にエアタービンロータ６を回転自在に設けたヘッド部３に術者が使用に際して把持するネック部２を介してグリップ部４を連設するとともに前記タービン室１５のエアタービンロータ６を駆動する給気用のエア給気管路１１及び排気用の排気管路１２を備え、さらに、前記排気管路１２に、一端２０ａを連通するとともに他端２０ｂを、前記タービン室１５に開口する前記エア給気管路１１のエア給気口１４近傍に開口した還流口１７に連通する還流管路１６を設けることにより前記エア給気管路１１のエア給気口１４からの給気停止時の、前記エアタービンロータ６の情性回転による排気を、前記還流管路１６を介して還流しつつタービン室１５内に発生する負圧を防止することができるように構成したエアタービンハンドピース１において、前記還流管路１６を、前記タービン室１５の壁面１５ａに穿設した還流溝２０と前記タービン室１５に嵌装したハウジング２５の壁面２５ａ間によって形成するとともに、前記還流溝２０の一端２０ａを、前記排気管路１２に連通し、他端２０ｂを前記ハウジング２５の壁面２５ａに開口して形成した還流口１７用の開口部２６を介して前記タービン室１５内に対する還流口１７に連通することにより構成したことを特徴とするエアタービンハンドピース。
【請求項２】
前記還流管路１６を構成する還流溝２０を、前記タービン室１５の壁面１５ａに穿設した断面Ｕ字あるいはＶ字状等のスリット状溝２０にて形成し、当該スリット状溝２０の一端２０ａは、前記タービン室１５の壁面２５ａに開口する前記排気管路１２の排気口１８に連通するとともに他端２０ｂは、前記ハウジング２５の壁面２５ａに開口して形成した、還流口１７用の開口部２８を介して前記タービン室１５内に対する還流口１７に連通することにより構成したことを特徴とする請求項１記載のエアタービンハンドピース。
【請求項３】
前記還流管路１６を構成する、前記ハウジング２５の壁面２５ａに開口して形成する還流口１７用の開口部２８は、前記タービン室１５に開口するエア給気管路１１のエア給気口１４に対向して開口したエア給気用の開口部２６の近傍に位置せしめて開口して形成し、前記還流溝２０の他端２０ｂを連通することにより構成したことを特徴とする請求項１又は２記載のエアタービンハンドピース。
【請求項４】
前記還流管路１６を構成する、前記ハウジング２５の壁面２５ａに開口して形成する還流口１７用の開口部２８は、前記タービン室１５に開口するエア給気管路１１のエア給気口１４に対向して開口したエア給気用の開口部２６より大径に形成して開口した還流口１７用の開口部２８を含むエア給気口１４用の開口部２００によって形成し、該大径のエア給気口１４用の開口部２００に、前記還流溝２０の他端２０ｂを連通することにより構成したことを特徴とする請求項１又は２記載のエアタービンハンドピース。
【請求項５】
前記ハウジング２５は、該ハウジング２５の外壁に突設した係合突起２９を前記タービン室１５の内壁に設けた係合溝２２ａに係合しつつ前記タービン室１５内に嵌装することにより、前記ハウジング２５に開口した各開口部２６，２７，２８，２００を前記タービン室１５のエア給気口１４および前記還流溝２０，２００の他端２０ｂ、２００ｂにそれぞれ対向位置決めするとともに回転を防止することができるように構成したことを特徴とする請求項１〜４記載のエアータービンハンドピース。
【発明の詳細な説明】
【技術分野】
【０００１】
本発明は、ヘッド部内に形成するタービン室が負圧になることを防止するエアタービンハンドピースに関する。
【背景技術】
【０００２】
従来のエアタービンハンドピースは、使用を終了する際に、駆動媒体である加圧エアの供給を遮断する。しかし加圧エアの供給を遮断してもタービン羽根は自身の慣性力にて惰性回転が続行されるために、この回転にてタービン室内の空気が排出され、タービン室内に負圧が生じる。またタービン室内の空間は、回転軸近傍の隙間を介して外気に連通しているので、内部が負圧になることにより外気が吸入される。これにより患者の唾液や血液等の汚染物質が外気と共にタービン室内に吸引され、ヘッド部内および／またはハンドピースに接続されたジョイント金具や給排気ホース内が汚染される。このようにハンドピースが汚染されると、ハンドピースを介して患者や術者あるいは患者相互間にて交叉感染が生じる恐れがあることから、この問題を改善するために今までに各種技術が開発され、例えば次に述べる特許文献１から４の発明が公知となっている。
【０００３】
特許文献１の発明は、圧縮空気源からの圧縮空気をエアタービンに供給する給気管路と、その排気を行う排気管路とを有するとともに、この給気管路に給気弁を、排気管路に排気弁を設けて成り、ハンドピースの使用停止時に給気弁および排気弁を同時に閉止し、もしくは排気弁を閉止した後に給気弁を閉止するなどにより、ハンドピース内に負圧が生じることを阻止し、ハンドピース内に汚染物質が吸入されることを防止するものである。
【０００４】
また、特許文献２の発明は、ハンドピースの、ヘッド部内の翼車を回転させるための加圧空気給気口、および給気された空気にて翼車を回転した後の空気を排出する排気口が形成され、翼車の回転によって遠心力が付与された空気が送り込まれ、加圧状態となって蓄積される１または複数の緩衝空間と、この緩衝空間に蓄積された加圧空気を、翼車と共に回転する工具の周辺から大気中に放出する空気通路と、排気口と翼車間に位置し、翼車から排気口に流れ込む空気に抵抗を付与するために周方向に位置する側壁部と、更に、緩衝空間を翼車の回転方向に対向させた構成である。
【０００５】
この構成により、ハンドピースの使用が終了して給気口からの給気を停止した際に、翼車の惰性回転でタービン室内の空気が排気されるが、翼車と排気口との間に介在する側壁部によって翼車から排気口に向かって移動する空気の流れを阻害する。これにより翼車と共に回転する空気を、空気に付与された遠心力に基づいて、翼車の外側に形成された緩衝空間内に加圧状態で蓄積することができ、蓄積された空気をヘッド部に形成された空気通路を介して工具周辺から大気中に放出することでサックバックの防止を可能にすることができるというものである。
【０００６】
特許文献３の発明は、ハンドピースのタービン室内において、流動圧力媒体の供給管路がタービン室の入り口開口部のところで開口しており、排出管路が出口開口部のところでタービン室から延びている。この構成においてハンドピースの使用が終了し、圧力媒体の供給が停止された際に、タービン羽車は惰性で回転を続けるために、タービン羽車により圧力媒体が流動し、排出管路を通って大気中に放出されるが、これを防ぐ手段として、圧力媒体の流れの中へ突出し、機能的作動において回転している圧力媒体の流れ段部を形成する流れウエッブを有していることを特徴とし、ポンプ機能や吸入あるいは吸い戻しを防止するとしている。
【０００７】
特許文献４の発明は、タービンに駆動空気を供給する空気通路と、タービン室の円筒表面内に直結し、タービン室からの排出空気の通路とを有する手動歯科用装置において、排出空気通路が、接続通路を介してタービン室の軸近傍、およびロータと工具側軸受との間の領域に開口し、または、排出空気通路が、工具側に設けられた軸受における工具側で、ヘッドの収容孔の円筒状壁に接続通路を介して開口し、または、排出空気通路が、タービン室の軸近傍の領域、および／またはロータの工具側とは反対側における工具操作機構近傍の中空室に接続通路を介して開口した構成であり、排出空気通路に接続された接続通路が軸周辺の領域に開口することによりロータの惰性回転による負圧の発生を防止するものである。
【０００８】
しかしながら、前記特許文献１の場合は、給気弁および排気弁を設ける必要があり、更に排気弁を作動させるための電気信号(電磁弁を作動させる電気信号)、あるいは空気信号(エアバルブを作動させる空気信号)が必要となる。また当該回路をより有効に作用させるためには、排気弁を閉じた後に、給気弁を閉じるように作動させる必要があり、この順序で作動させるコントロール回路が不可欠となる。その他に、部品や回路の追加が必要でありコストアップになる。更にこの回路は、新たに工場から出荷される製品に適用されるものであって、市場の既存品には対応しにくいという問題がある。
【０００９】
特許文献２の場合は、ハンドピースのヘッド部における翼車に向けて空気を供給するための給気口、および供給された空気の排出口に加え、ヘッド部内で、翼車の回転にて遠心力が付与された空気が送り込まれ、加圧状態になって蓄積される緩衝空間、および排気口と翼車との間に位置し、翼車から排気口に流れる空気に抵抗を付与する周方向の側壁部を設ける必要がある。そして、その効果を有効に発揮するには緩衝空間が翼車の回転方向に対向して開口することによってサックバックを防止することができるものであるので、構造が複雑かつ煩雑であり、コストアップになってしまうという問題がある。
【００１０】
特許文献３の場合は、出口開口部や、出口開口部につながる流れ溝およびウエッブの加工が煩雑であり、コストアップになるため、簡単な構造で経済的な構成の製品を提供することができないという問題がある。
【００１１】
特許文献４の場合は、排出空気通路に連通すると共に、軸周辺の領域に開口する接続通路の加工が容易ではなく、前記と同様にコストアップになるという問題がある。なお、特許文献４の発明は本願発明に類似した構成ではあるが、本願発明は排気管路に連通した還流管路を、タービン歯根の惰性回転よりタービン室内に発生する負圧部に対し直接に開口して排気を供給することにより負圧の発生を防止することが目的であり、かつ構成が簡単でコストダウンが可能であることに対して、特許文献４の場合は、排出空気通路に連通する接続通路を、タービン室の負圧発生部分から離れた軸周辺の領域等に開口し、負圧の発生を直接阻止するものではなく、発生した負圧の影響を緩和するものであり、しかも構造上から加工コストが嵩む、全く異なる構成である。
【００１２】
因って出願人は、これら特許文献１〜４における問題点を解決しつつ主目的とするエアタービンハンドピースの使用終了時の給気停止に伴うエアタービンロータの惰性回転によって発生するタービン室内の負圧発生を防止することに加えて、エアタービンロータの駆動トルクを向上することのできるエアタービンハンドピースを特許文献５により提案したところである。
即ち、かかる特許文献５記載の発明は以下の構成からなるものである。
【００１３】
上記構成のハンドピース１は、エア給気管路１１からのエア給気を停止した際に、図１１中の矢印（イ）で示すように、排気管路１２に流れ込んだ排気が還流管路１６を通って還流口１７からエアタービンロータ６のエア給気口１４近傍、即ちエアタービンロータ６のＡ領域に流れ込む。このＡ領域は排気後の最も負圧が発生しやすい部分であるので、このＡ領域に対して排気を直接還流することで負圧の発生を効率よく防止することが可能になる。更にハンドピース１の使用時には、エア給気口から噴射される加圧給気の回転駆動力に加えて、還流管路１６からエア給気口近傍のタービン室１５に流れ込む還流排気がエアタービンロータの回転駆動力を助力するという副次的効果を奏することができる。
【先行技術文献】
【特許文献】
【００１４】
【特許文献１】特開平０６−０４７０６０号公報
【特許文献２】WO ２００６／１０１１３３号公報
【特許文献３】特開２０００−６０８７０号公報
【特許文献４】特許第３９０７２８４号公報
【特許文献５】特開２０１２−６５７４１号公報
【発明の概要】
【発明が解決しようとする課題】
【００１５】
前記特許文献５により、従来のエアタービンハンドピースにおける給気停止時のエアタービンロータの惰性回転によるタービン室内に発生する負圧を、特許文献１〜４における問題点なく防止することに成功したのであるが、その実施に当たり、当該エアタービンハンドピースに構成する還流管路の加工を量産性を以て実施し得る対策が要求されるに至ったのである。
出願人は前記特許文献５の実施上、ヘッド部３の加工に当たり、タービン室１５の壁部に還流管路１６を穿孔する加工に換えて、量産性上効率よく迅速かつ良質の還流管路１６を適確に加工し得る方法の開発を行ったものである。
【００１６】
すなわち、引用文献５の要部となる還流管路１６の形成加工は、図８からも解るように排気管路１２からタービン室１５間の壁層に細径孔の還流管路１６を穿設しつつ貫通させる加工が要求される。
技術上、困難とは言えずとも細心の加工技術が要求され、適確な品質管理も要求されることになり製品製造の実施に当たっては、当然量産性上の効率もそれなりに要求されることになる。
そこで本発明は、前記エアタービンハンドピースにおける還流管路の加工を簡易にするとともに量産性を向上し、更に品質をも向上し得るエアタービンハンドピースの提供を目的とする。
【課題を解決するための手段】
【００１７】
本発明の請求項１は、前記目的を達成するため、タービン室１５内にエアタービンロータ６を回転自在に設けたヘッド部３に術者が使用に際して把持するネック部２を介してグリップ部４を連設するとともに前記タービン室１５のエアタービンロータ６を駆動する給気用のエア給気管路１１及び排気用の排気管路１２を備え、さらに、前記排気管路１２に、一端２０ａを連通するとともに他端２０ｂを、前記タービン室１５に開口する前記エア給気管路１１のエア給気口１４近傍に開口した還流口１７に連通する還流管路１６を設けることにより前記エア給気管路１１のエア給気口１４からの給気停止時の、前記エアタービンロータ６の情性回転による排気を、前記還流管路１６を介して還流しつつタービン室１５内に発生する負圧を防止することができるように構成したエアタービンハンドピース１において、前記還流管路１６を、前記タービン室１５の壁面１５ａに穿設した還流溝２０と前記タービン室１５に嵌装したハウジング２５の壁面２５ａ間によって形成するとともに、前記還流溝２０の一端２０ａを、前記排気管路１２に連通し、他端２０ｂを前記ハウジング２５の壁面２５ａに開口して形成した還流口１７用の開口部２６を介して前記タービン室１５内に対する還流口１７に連通することにより構成したことを特徴とする。
【００１８】
また、本発明の請求項２は、請求項１記載の発明において、前記還流管路１６を構成する還流溝２０を、前記タービン室１５の壁面１５ａに穿設した断面Ｕ字あるいはＶ字状等のスリット状溝２０にて形成し、当該スリット状溝２０の一端２０ａは、前記タービン室１５の壁面２５ａに開口する前記排気管路１２の排気口１８に連通するとともに他端２０ｂは、前記ハウジング２５の壁面２５ａに開口して形成した、還流口１７用の開口部２８を介して前記タービン室１５内に対する還流口１７に連通することにより構成したことを特徴とする。
【００１９】
そして、本発明の請求項３は請求項１又は２記載の発明において、前記還流管路１６を構成する、前記ハウジング２５の壁面２５ａに開口して形成する還流口１７用の開口部２８は、前記タービン室１５に開口するエア給気管路１１のエア給気口１４に対向して開口したエア給気用の開口部２６の近傍に位置せしめて開口して形成し、前記還流溝２０の他端２０ｂを連通することにより構成したことを特徴とする。
【００２０】
さらに、本発明の請求項４は請求項１又は２記載の発明において、前記還流管路１６を構成する、前記ハウジング２５の壁面２５ａに開口して形成する還流口１７用の開口部２８は、前記タービン室１５に開口するエア給気管路１１のエア給気口１４に対向して開口したエア給気用の開口部２６より大径に形成して開口した還流口１７用の開口部２８を含むエア給気口１４用の開口部２００によって形成し、該大径のエア給気口１４用の開口部２００に、前記還流溝２０の他端２０ｂを連通することにより構成したことを特徴とする。
【００２１】
また、本発明の請求項５は、前記請求項１〜４のエアタービンハンドピースにおいて、前記ハウジング２５は、該ハウジング２５の外壁に突設した係合突起２９を前記タービン室１５の内壁に設けた係合溝２２ａに係合しつつ前記タービン室１５内に嵌装することにより、前記ハウジング２５に開口した各開口部２６，２７，２８，２００を前記タービン室１５のエア給気口１４および前記還流溝２０，２００の他端２０ｂ、２００ｂにそれぞれ対向位置決めするとともに回転を防止することができるように構成したことを特徴とする。
【発明の効果】
【００２２】
本発明は、タービン室１５内にエアタービンロータ６を回転自在に設けたヘッド部３に術者が使用に際して把持するネック部２を介してグリップ部４を連設するとともに前記タービン室１５のエアタービンロータ６を駆動する給気用のエア給気管路１１及び排気用の排気管路１２を備え、さらに、前記排気管路１２に、一端２０ａを連通するとともに他端２０ｂを、前記タービン室１５に開口する前記エア給気管路１１のエア給気口１４近傍に開口した還流口１７に連通する還流管路１６を設けることにより前記エア給気管路１１のエア給気口１４からの給気停止時の、前記エアタービンロータ６の情性回転による排気を、前記還流管路１６を介して還流しつつタービン室１５内に発生する負圧を防止することができるように構成したエアタービンハンドピース１において、前記還流管路１６を、前記タービン室１５の壁面１５ａに穿設した還流溝２０と前記タービン室１５に嵌装したハウジング２５の壁面２５ａ間によって形成するとともに、前記還流溝２０の一端２０ａを、前記排気管路１２に連通し、他端２０ｂを前記ハウジング２５の壁面２５ａに開口して形成した還流口１７用の開口部２６を介して前記タービン室１５内に対する還流口１７に連通することにより構成したもので、前記還流管路をタービン室の壁面に還流孔を穿孔する加工に比し、タービン室の壁面には還流溝を穿設するのみの加工にて足り、加工を簡易にするとともに量産性を向上することができ、当該エアタービンハンドピースの品質を適確かつ向上し得る。
【００２３】
尚、本発明のエアハンドピースは、前記効果に加えて排気管路に連通した還流管路をエア供給管路のエア供給口近傍に開口させることにより、タービン室内の最も負圧が生じやすいタービン室の部分に対して排気を直接に還流させることで、還流した排気にて負圧の発生を防止することが可能になる。これにより従来ハンドピースを介して生じる患者・術者または患者相互間の交叉感染を防止することができるという利点がある。
さらにエアタービンハンドピースの使用時には、還流管路から供給された還流空気が給気エアと共にエアタービンロータに向かって噴射されることによりエアタービンロータの回転駆動を助力することができるという副次的効果が得られる。
【図面の簡単な説明】
【００２４】
【図１】本発明の実施例１を示す要部の断面図
【図２】本発明の実施例１を示す要部のエアタービンハンドピースの斜視図
【図３】（ａ）は図１のＡ−Ａ線縦断面図、（ｂ）はハウジングの斜視図
【図４】（ａ）はヘッド部に対するハウジングの嵌装状態を示す部分横断面図、（ｂ）はヘッド部に対するハウジングの嵌装状態を示す縦断面図
【図５】（ａ）はヘッド部の部分横断面図、（ｂ）はヘッド部の縦断面図
【図６】（ａ）はハウジングの部分横断面図、（ｂ）はハウジングの縦断面図
【図７】本発明の実施例２を示し、（ａ）はハウジングを嵌装したヘッド部の部分横断面図、（ｂ）はハウジングを嵌装したヘッド部の縦断面図
【図８】（ａ）はヘッド部の部分横断面図、（ｂ）はヘッド部の縦断面図
【図９】本発明の実施例３を示し、（ａ）はハウジングを嵌装したヘッド部の部分横断面図、（ｂ）はハウジングを嵌装したヘッド部の縦断面図
【図１０】（ａ）はハウジングの部分横断面図、（ｂ）はハウジングの縦断面図
【図１１】特許文献５のエアタービンハンドピースの要部の断面図
【発明を実施するための形態】
【００２５】
エアタービンハンドピースの使用が終了して給気が停止されても、エアタービンロータが惰性回転することによりタービン室内に負圧が生じることを防止するという目的を、排気管路に一端を連通する排気の還流管路を形成し、かつ該還流管路の他端に形成する還流口をエア供給管路のエア給気口近傍に開口して達成する構成において、タービン室の壁面の還流溝とタービン室に嵌装したハウジングの壁面とタービン室に対する還流口用の開口部にて構成することにより、簡単な構成で廉価なハンドピースの提供を実現した。
【実施例１】
【００２６】
図１〜６は本発明の実施例１を示すもので、図２に示すよう本発明を適用する本実施例のエアタービンハンドピース１は、術者により把持されるネック部２と、ネック部２の尖端側に連設されたヘッド部３と、ネック部２の後方に連設されたグリップ部４とからなり、グリップ部４の後端には図示しない給気管および排気管を内蔵するホース５が連結されている。
【００２７】
図１，３に示すようにエアタービンハンドピース１のヘッド部３内部には、エアタービンロータ６が工具７を支持するチャック８に固定され、チャック８を介し、上下一対のボールベアリング９にて回転自在に軸支されている。なおチャック８の上端にはプッシュボタン１０が設けられ、プッシュボタン１０をバネ１０ａの付勢に抗して押圧することにより工具７の着脱が可能に構成されている。更にヘッド部３のネック部２側には、エアタービンロータ６を回転させるためのエア給気管路１１およびエアタービンロータ６を回転した後のエアを排出する排気管路１２が設けられ、更にエア給気管路１１の噴出口側にはノズル１３が連設され、エアはノズル１３の尖端１３ａに形成されたエア給気口１４からタービン室１５に向かって噴射される構成になっている。
【００２８】
さて、本発明の還流管路１６については、図１，４，５に示すようにヘッド部３のタービン室１５の壁面に還流溝２０を穿設するとともにタービン室１５内にハウジング２５を嵌装することにより、当該還流溝２０とハウジング２５の壁面２５ａ間に還流管路１６を形成するものである。
【００２９】
そして、前記還流溝２０の一端（図１，図４（ａ），図５（ａ）においては上端）２０ａは、タービン室１５に開口する前記排気管路１２の排気口１８に連通するとともに他端（図１，図４（ａ），図５（ａ）においては下端）２０ｂは前記ハウジング２５の壁面２５ａに開口して形成した還流口１７用の開口部２８を介して、前記タービン室１５に対する還流口１７に連通することにより構成する。
【００３０】
また、前記還流溝２０は、図１，図５（ａ）、（ｂ）に示す如くタービン室１５の壁面１５ａにスリット状溝２０、例えば断面Ｕ字状あるいはＶ字状等のスリットを穿設することにより形成することができる。
【００３１】
さらに、当該還流溝２０とともに還流管路１６を形成するハウジング２５の壁面２５ａには、図１，図６（ａ）、（ｂ）に示す如く還流溝２０に対向せしめて還流管路１６におけるタービン室１５内への還流気の還流口１７を形成する開口部２８を開口することにより形成する。
【００３２】
そしてハウジング２５には予め図１，図６（ａ）、（ｂ）に示す如く、前記タービン室１５に対するエア給気管路１１，ノズル１３を介して給気するエア給気口１４に対向する位置に開口部２６を開口するとともにタービン室１５からの排気管路１２の排気口１８に対向する位置に排気口１８用の開口部２７を開口して形成する。
【００３３】
また、図３（ａ）図４に示すように前記ハウジング２５は、ヘッド部３のヘッドケース２２内に螺着するキャップケース２３を介して嵌着されるハウジングキャップ２４にて気密的に固定される。
【００３４】
そして図３（ａ）、（ｂ）に示すようにヘッドケース２２の内壁の係合溝２２ａにハウジング２５の外壁に突設される係合突起２９を係合することにより、ハウジング２５の回転を防止しつつ嵌装してある。
【００３５】
更に、前記ヘッドケース２２の係合溝２２ａとハウジング２５の係合突起２９の位置は、前記ハウジング２５の開口部２６，２７，２８とタービン室１５のエア給気口１４と、還流溝２０の他端２０ｂおよび排気管路の排気口１８との位置決めの作用をなすもので、係合溝２２ａに係合突起２９を係合しつつハウジング２５をヘッドケース２２内に嵌合することにより前記ハウジング２５の各開口部２６，２７，２８をエア給気口１４，還流溝２０の他端２０ｂおよび排気口１８に対向しつつセットすることができるように構成する。
また、３０はＯリングである。
【００３６】
以上の構成から成る本発明のエアタービンハンドピース１によれば、エア給気管路１１からのエア給気を停止した際、排気管路１２に流れ込んだ排気が還流管路１６を構成する還流溝２０の一端２０ａより他端２０ｂとハウジング２５の開口部２８を介して、還流口１７からエアタービンロータ６のエア給気口１４近傍、すなわちエアタービンロータ６のＡ領域に流れ込むことになる。
【００３７】
しかして、このＡ領域は、排気後の最も負圧が発生しやすい部分であるので、このＡ領域に対して排気を直接還流することで負圧の発生を効率よく防止することが可能となる。
【００３８】
また、エアタービンハンドピース１の使用時には、エア給気口１４から噴射される加圧給気の回転駆動力に加えて、前記還流管路１６を構成する還流溝２０を介するエア給気口近傍のタービン室１５に流れ込む還流排気がエアタービンロータ６の回転駆動力を助長する副次的効果としてのトルク力をアップすることのできる効果を得ることができる。
【００３９】
これに加えて、前記還流管路１６の構成に当たっては、タービン室１５の壁面１５ａに対する還流溝２０の穿設加工と、タービン室１５内に嵌装するハウジング２５の壁面２５ａ間により形成することができ、加工の簡易化を計ることができ、品質ならびに作用効果を安定しつつ量産性を向上できるとともに品質管理をも適確、容易にすることができる。
【実施例２】
【００４０】
図７，８は、本発明の実施例２を示すもので、当該実施例２の還流溝２０は、一端２００ａを排気管路１２の排気口１８に連通するとともに、他端２００ｂは、エア給気管路１１のノズル１３を介するエア給気口１４に連通せしめるべくスリット状溝２００を穿設することにより形成してある。
【００４１】
尚、この場合スリット状溝２００の他端２００ｂはノズル１３に連通開口されるので、ハウジング２５の壁面２５ａの開口部２８は不要で開口部２６に連通せしめて形成する。
その他の構成は、実施例１と同一の構成からなるもので具体的な図示と説明は省略する。
そして、当該実施例２のエアタービンハンドピース１においても、前記実施例１と同様の作用、効果を得ることができるものである。
【実施例３】
【００４２】
図９，１０は、本発明の実施例３を示すもので、ハウジング２５の還流溝２０の他端２０ｂに対向する位置に開口する還流口１７用の開口部２８とエア給気口１４に対向する位置に開口する開口部２６を一個の大径の開口部２０１を開口して形成したものである。
その他の構成は、実施例１と同一の構成から成り説明を省略する。作用、効果についても実施例１と同様である。
【００４３】
尚、具体的に図示しないが前記実施例３のスリット状溝２００を設けた還流溝２０と当該実施例３のハウジング２５の開口部２０１を組み合わせて実施することも勿論可能である。
【符号の説明】
【００４４】
１      エアタービンハンドピース
２      ネック部
３      ヘッド部
４      グリップ部
５      ホース
６      エアタービンロータ
７      工具
８      チャック
９      ボールベアリング
１０    プッシュボタン
１１    エア給気管路
１２    排気管路
１３    ノズル
１４    エア給気口
１５    タービン室
１５ａ  壁面
１６    還流管路
１７    還流口
１８    排気口
２０，２００    還流溝
２０ａ，２００ａ  還流溝の一端
２０ｂ、２００ｂ  還流溝の他端
２２    ヘッドケース
２２ａ  係合溝
２５    ハウジング
２５ａ  壁面
２６，２７，２８，２０１    開口部
２９    係合突起
【図１】
2014012092.tif 000003
【図２】
2014012092.tif 000004
【図３】
2014012092.tif 000005
【図４】
2014012092.tif 000006
【図５】
2014012092.tif 000007
【図６】
2014012092.tif 000008
【図７】
2014012092.tif 000009
【図８】
2014012092.tif 000010
【図９】
2014012092.tif 000011
【図１０】
2014012092.tif 000012
【図１１】
2014012092.tif 000013